(57)【要約】【課題】  壁パネルが設置される載置部に隣接した最外縁部を、発泡体層の発泡倍率を下げずに補強する。【解決手段】  浴槽側防水パン１（浴室用防水パン）の周縁部には、受入溝１５が形成されている。壁パネル８０，９０の下端縁部が受入溝１５に受け入れられ、その底面１５ａ（載置部）に載っている。最外縁部１６は受入溝１５の外側に隣接し受入溝１５の底面１５ａから上方に突出している。浴槽側防水パン１は発泡体層１０ａと、この発泡体層の上面を覆う表皮層１０ｂとを備えている。表皮層１０ｂが最外縁部１６まで連続的に広がり、これにより、最外縁部１６が補強されている。壁パネル９０の側縁を支持する支柱７０，８０は、支持構造５，６により支持されている。支持構造５，６は、上側支持金具２０，４０と下側支持金具３０，５０とを有している。上下の支持金具は、浴槽側防水パン１を挟んだ状態で、連結されている。【選択図】  図３
2019094767.tif 000002
【特許請求の範囲】
【請求項１】
周縁部に、壁パネルが載る載置部と、上記載置部の外側に隣接して上記載置部から上方に突出する最外縁部と、を有する浴室用防水パンにおいて、
発泡体層と、この発泡体層の上面を覆う表皮層とを備え、
上記表皮層が上記載置部および上記最外縁部を含めて連続的に広がり、上記最外縁部が上記表皮層により補強されていることを特徴する浴室用防水パン。
【請求項２】
上記周縁部に壁パネルの下端縁部を受け入れる受入溝が形成され、この受入溝の底面が上記載置部として提供され、上記最外縁部が上記受入溝の外側に隣接することを特徴とする請求項１に記載の浴室用防水パン。
【請求項３】
浴槽側防水パンとして提供され、
浴槽を載せる底部と、この底部の周囲から立ち上がる立ち上がり部とを備え、上記立ち上がり部の周縁部に、上記載置部と上記最外縁部が形成されていることを特徴とする請求項１または２に記載の浴室用防水パン。
【請求項４】
請求項１〜３のいずれかに記載の浴室用防水パンの周縁部に装着される浴室用壁パネルの支持構造であって、
支持金具と、上記壁パネルの側縁を支持する支柱と、を備え、
上記支持金具は、上記浴室用防水パンの上記最外縁部に引っ掛けられるＬ字形の引掛部と、上記浴室用防水パンの外側面に沿う第１連結板部と、上記最外縁部から上方に延びる第２連結板部と、を有し、
上記支持金具の第１連結板部が、上記発泡体層に支持された連結手段に連結され、上記支持金具の第２連結板部に上記支柱の下端部が連結されていることを特徴とする浴室用壁パネルの支持構造。
【請求項５】
上記支持金具としての上側支持金具と、上記連結手段としての下側支持金具とを備え、上記下側支持金具は、上記発泡体層の下面に沿う基板部と、この基板部の側縁から起立して上記浴室用防水パンの外側面に沿う連結板部とを有し、
上記上側支持金具の上記引掛部と、上記下側支持金具の上記基板部とで上記浴室用防水パンの周縁部を挟んだ状態で、上記上側支持金具の上記第１連結板部と上記下側支持金具の上記連結板部が連結されていることを特徴とする請求項４に記載の浴室用壁パネルの支持構造。
【請求項６】
上記下側支持金具は、上記基板部において上記連結板部から離れた側縁から起立する挿入片を有し、この挿入片が、上記浴室用防水パンの周縁部における上記発泡体層の下面に形成された支持溝に差し込まれていることを特徴とする請求項５に記載の浴室用壁パネルの支持構造。
【請求項７】
上記上側支持金具と上記下側支持金具が、上記浴室用パンの周縁部において直線的に延びる辺の中間部に配置され、
上記下側支持金具の上記基板部における互いに平行をなす２つの側縁から、上記連結板部と上記挿入片が起立しており、
上記下側支持金具の上記挿入片および上記発泡体層の上記支持溝は、上方から見たとき、浴室用防水パンの最外縁部と平行をなしていることを特徴とする請求項６に記載の浴室用壁パネルの支持構造。
【請求項８】
上記上側支持金具と上記下側支持金具が上記浴室用防水パンの周縁部のコーナー部に配置され、  上記上側支持金具が直角に連なる２つの連結片を有し、各連結片が上記引掛部と上記第１連結板部と上記第２連結板部とを有しており、
上記下側支持金具の上記基板部が直角をなす２つの側縁を有し、これら２つの側縁からそれぞれ上記連結板部が起立し、これら２つの側縁から離れるとともにこれら２つの側縁に対して傾斜した側縁から上記起立片が起立しており、
上記下側支持金具の起立片および上記発泡体層の上記支持溝は、上方から見たとき、上記浴室用防水パンの周縁部の２つの辺における上記最外縁部に対して傾斜していることを特徴とする請求項６に記載の浴室用壁パネルの支持構造。
【請求項９】
上記支持溝の溝幅が、上記挿入片の厚さより小さいことを特徴とする請求項６〜８のいずれかに記載の浴室用壁パネルの支持構造。
【発明の詳細な説明】
【技術分野】
【０００１】
本発明は、浴室用防水パンおよびこの浴室用防水パンの周縁部に壁パネルを支持する構造に関する。
【背景技術】
【０００２】
近年、軽量で断熱性を有する浴室用防水パンとして、発泡体層を備えた浴室用防水パンが種々開発されている。発泡体層は水密性および表面硬度に難があるため、発泡体層には表皮層を積層することも考案されている。
【０００３】
特許文献１には、浴槽側防水パン（浴室用防水パン）が開示されている。この防水パンは、浴槽を載せる底部材と、この底部材の周縁の立ち上がり部に連結された側壁部材とを有している。
底部材と側壁部材は、熱可塑性樹脂からなる発泡体層を備えている。底部材の発泡体層の上面全域には、熱可塑性樹脂からなるフィルム表面層が積層されている。側壁部材の発泡体層の上端周縁部には、外側に水平に突出する鍔部が形成されており、この鍔部の外周縁には上方に突出する突縁が形成されている。突縁を除く鍔部の上面には荷重分担のためのフィルム表面層が積層されている。
【０００４】
特許文献１の浴槽側防水パンでは、側壁部材の鍔部に防水パンのリムが載るとともに、その外側に壁パネルが設置されている。壁パネルの下端縁は側壁部材の最外縁部となる突縁に係止されている。
【先行技術文献】
【特許文献】
【０００５】
【特許文献１】特開２００７−２７８００６号公報
【発明の概要】
【発明が解決しようとする課題】
【０００６】
特許文献１の防水パンでは、発泡体層の突縁の強度を確保するため、発泡体層の発泡倍率を低くすることが求められ、重量の増大を余儀なくされる。
【課題を解決するための手段】
【０００７】
本発明は上記課題を解決するためになされたものであり、周縁部に、壁パネルが載る載置部と、上記載置部の外側に隣接して上記載置部から上方に突出する最外縁部と、を有する浴室用防水パンにおいて、
発泡体層と、この発泡体層の上面を覆う表皮層とを備え、上記表皮層が上記載置部および上記最外縁部を含めて連続的に広がり、上記最外縁部が上記表皮層により補強されていることを特徴する。
上記構成によれば、表皮層により最外縁部の剛性を高めているので、この最外縁部の剛性を高めるために発泡体層の発泡倍率を下げずに済み、浴室用防水パンの軽量化を図ることができる。その結果、コストを減じることができる。
【０００８】
好ましくは、上記周縁部に壁パネルの下端縁部を受け入れる受入溝が形成され、この受入溝の底面が上記載置部として提供され、上記最外縁部が上記受入溝の外側に隣接する。
上記構成によれば、受入溝に壁パネルの下端縁部を受け入れるので、水密性を確保が容易となる。
【０００９】
好ましくは、浴槽側防水パンとして提供され、浴槽を載せる底部と、この底部の周囲から立ち上がる立ち上がり部とを備え、上記立ち上がり部の周縁部に、上記載置部と上記最外縁部が形成されている。
【００１０】
本発明の他の態様は、上記浴室用防水パンの周縁部に装着される浴室用壁パネルの支持構造であって、
支持金具と、上記壁パネルの側縁を支持する支柱と、を備え、
上記支持金具は、上記浴室用防水パンの上記最外縁部に引っ掛けられるＬ字形の引掛部と、上記浴室用防水パンの外側面に沿う第１連結板部と、上記最外縁部から上方に延びる第２連結板部と、を有し、
上記支持金具の第１連結板部が、上記発泡体層に支持された連結手段に連結され、上記支持金具の第２連結板部に上記支柱の下端部が連結されていることを特徴とする。
上記構成によれば、支持金具により浴室用防水パンの周縁部に支柱を設置し、この支柱に壁パネルの側縁を支持することができる。支持金具の引掛部が浴室用防水パンの最外縁部に引っ掛けられるが、この最外縁部は剛性を有しているので支持金具を安定して支持することができる。
【００１１】
好ましくは、上記支持金具としての上側支持金具と、上記連結手段としての下側支持金具とを備え、上記下側支持金具は、上記発泡体層の下面に沿う基板部と、この基板部の側縁から起立して上記浴室用防水パンの外側面に沿う連結板部とを有し、上記上側支持金具の上記引掛部と、上記下側支持金具の上記基板部とで上記浴室用防水パンの周縁部を挟んだ状態で、上記上側支持金具の上記第１連結板部と上記下側支持金具の上記連結板部が連結されている。
上記構成によれば、上下の支持金具が浴室用防水パンの周縁部を挟んでいるので、上側支持金具を安定して支持することができ、ひいては支柱を安定して支持することができる。また、予め設けてある支持溝により、下側支持金具の取付位置だしも可能となる。
【００１２】
好ましくは、上記下側支持金具は、上記基板部において上記連結板部から離れた側縁から起立する挿入片を有し、この挿入片が、上記浴室用防水パンの周縁部における上記発泡体層の下面に形成された支持溝に差し込まれている。
上記構成によれば、下側支持金具の挿入片が発泡体層の支持溝に差し込まれることにより、下側支持金具を安定して支持することができ、ひいては上側支持金具および支柱を安定して支持することができる。
【００１３】
上記上側支持金具と上記下側支持金具が、上記浴室用パンの周縁部において直線的に延びる辺の中間部に配置される場合には、上記下側支持金具の上記基板部における互いに平行をなす２つの側縁から、上記連結板部と上記挿入片が起立しており、上記下側支持金具の上記挿入片および上記発泡体層の上記支持溝は、上方から見たとき、浴室用防水パンの最外縁部と平行をなしている。
【００１４】
上記上側支持金具と上記下側支持金具が上記浴室用防水パンの周縁部のコーナー部に配置される場合には、上記上側支持金具が直角に連なる２つの連結片を有し、各連結片が上記引掛部と上記第１連結板部と上記第２連結板部とを有しており、上記下側支持金具の上記基板部が直角をなす２つの側縁を有し、これら２つの側縁からそれぞれ上記連結板部が起立し、これら２つの側縁から離れるとともにこれら２つの側縁に対して傾斜した側縁から上記起立片が起立しており、上記下側支持金具の起立片および上記発泡体層の上記支持溝は、上方から見たとき、上記浴室用防水パンの周縁部の２つの辺における上記最外縁部に対して傾斜している。
【００１５】
好ましくは、上記支持溝の溝幅が、上記挿入片の厚さより小さい。  この構成によれば、上下の支持金具の連結作業の過程で下側の支持金具の脱落を防止することができ、作業性を向上させることができる。
【発明の効果】
【００１６】
本発明によれば、発泡体層と表皮層を有する浴室用防水パネルにおいて、壁パネルが設置される載置部に隣接した最外縁部を、発泡体層の発泡倍率を下げずに補強することができ、軽量化を図ることができる。
【図面の簡単な説明】
【００１７】
【図１】本発明の一実施形態に係る浴槽側防水パンの平面図である。
【図２】図１におけるII−II矢視断面図である。
【図３】図２におけるIII部の拡大断面図であり、上記浴槽側防水パンの長辺の中央部に装着される壁パネル支持構造を示す。
【図４】図３の壁パネル支持構造を分解して示す断面図である。
【図５】図３の壁パネル支持構造における上下の支持金具の斜視図である。
【図６】上記防水パンのコーナー部に設置される壁パネル支持構造を示す断面図である。
【図７】図６の壁パネル支持構造を分解して示す断面図である。
【図８】図６の壁パネル支持構造における上下の支持金具の斜視図である。
【図９】壁パネルを上記壁パネル支持構造により支持した状態で上記浴槽側防水パンの周縁部に設置した状態を示す平断面図である。
【発明を実施するための形態】
【００１８】
以下、本発明の一実施形態について、図面を参照しながら説明する。
浴室ユニットが納められる建物内の空間の床スラブもしくは浴室ユニット用基礎には、図１、図２に示すように、浴槽側防水パン１（浴室用防水パン）と洗い場側防水パン２（浴室用防水パン）が隣接して設置されている。浴槽側防水パン１には浴槽３が設置されている。本実施形態では、浴槽側防水パン１に本発明が適用されている。
【００１９】
浴槽側防水パン１は、架台４に載せられて支持されている。架台４は、浴槽側防水パン１の長方形の長辺と平行なフレーム４ａと、このフレーム４ａに一端が連結されるとともに長方形の短辺と平行な２本のフレーム４ｂを有している。フレーム４ａの両端部および中央部と、フレーム４ｂの中央部には、床スラブに載る支持脚４ｃが固定されている。
【００２０】
浴槽側防水パン１は平面長方形をなし、底部１１とその周縁部に全周にわたって形成された立ち上がり部１２ａ，１２ｂとを有している。立ち上がり部１２ａ，１２ｂは底部１１から外に向かって張り出している。
底部１１には、浴槽３の脚部を載せるための低い凸部１１ａが形成されている。底部１１には洗い場側防水パン２寄りに排水口１１ｂが形成され、この排水口１１ｂには排水ユニット（図示しない）が装着されている。
【００２１】
長方形の一方の長辺に対応する立ち上がり部１２ａは、洗い場側防水パン２に接続され、他方の長辺および２つの短辺に対応する立ち上がり部１２ｂは、後述するように浴室を画成する壁パネル９０を支持するようになっている。
【００２２】
浴槽側防水パン１の上記３つの辺の立ち上がり部１２ｂには、壁パネル９０の下端縁部を受け入れるための受入溝１５が形成されている。
図３、図４に示すように、受入溝１５は、その内側の部位が深く外側の部位が浅くなっており、その境に垂直の段差１５ａが形成されている。内側の深い部位の底面１５ｂは壁パネル９０を載せる載置部となっている。  
【００２３】
受入溝１５の外側に隣接する浴槽側防水パン１の最外縁部１６は、受入溝１５の底面１５ｂから上方に突出している。
図１に示すように、受入溝１５および最外縁部１６は浴槽側防水パン１の各辺に沿って直線状に延び、コーナー部Ｂにおいて連なっている。
【００２４】
浴槽側防水パン１は、熱可塑性樹脂製の発泡体層１０ａとこの発泡体層１０ａの上側を覆う熱可塑性樹脂製の表皮層１０ｂにより構成されている。本実施形態では、最初にポリスチレン（ＰＳ）、ＨＩＰＳ、ＡＢＳ等のスチレン系樹脂シートを真空成形することにより、上述した浴槽側防水パン１の上面形状に対応する表皮層１０ｂを得る。その後で、発泡金型内に表皮層１０ｂをセットし、ビーズ発泡成形により発泡ポリスチレン（ＥＰＳ）製の発泡体層１０ａを得る。この発泡成形の過程で、発泡体層１０ａと表皮層１０ｂが熱溶着されるので、両者を貼り合わせる工程を省くことができる。なお、これら発泡体層１０ａと表皮層１０ｂを接着剤により貼り合わせてもよい。
【００２５】
表皮層１０ｂは発泡体層１０ａの上面全域に積層されている。すなわち、底部１１における発泡体層１０ａの上面、立ち上がり部１２ａ、１２ｂの内側面および上面に積層されている。立ち上がり部１２ｂの上面では、受入溝１５を画成する面のみならず最外縁部１６の上面にも表皮層１０ｂが積層されている。
最外縁部１６の上面に表皮層１０ｂを積層したことにより、発泡体層１０ａのみで最外縁部１６を構成する場合に比べて格段に剛性を高めることができる。
【００２６】
次に、壁パネル９０の支持構造について詳述する。浴槽側防水パン１の長辺の中央部Ａに図３〜図５に示す支持構造５が装着され、コーナー部Ｂに図６〜図８に示す支持構造６が装着されている。
【００２７】
最初に長辺中央部Ａの支持構造５について、図３〜図５を参照しながら説明する。支持構造５は、上下の支持金具２０，３０と支柱７０を有している。支持金具２０，３０は金属板を折り曲げることにより構成されている。
【００２８】
上側支持金具２０には、高さ方向中間部にＬ字形をなす引掛部２１が切り起こされており、この引掛部２１より下側の部位が第１連結板部２２として提供され、引掛部２１より上側の部位が第２連結板部２３として提供されている。引掛部２１は水平部とこの水平部の先端縁から下方に延びる垂下部とを有している。第１連結板部２２および第２連結板部２３には、タッピング穴２２ａ，２３ａがそれぞれ形成されている。
【００２９】
下側支持金具３０（連結手段）は、略Ｊ字形状をなしており、水平をなす平面形状四角形の基板部３１と、この基板部３１の互いに平行をなす２つの側縁からそれぞれ起立する連結板部３２および挿入片３３とを有している。連結板部３２には挿通穴３２ａが形成されている。挿入片３３は連結板部３３より短い。
【００３０】
浴槽側防水パン１の長辺中央部Ａにおいて、発泡体層１０ｂの下面には挿入片３３に対応する形状を有する支持溝１８が形成されている。支持溝１８は上方から見たとき最外縁部１６と平行をなし、垂直に延びている。支持溝１８の溝幅は挿入片３３の厚みより若干小さい。
【００３１】
図４に示すように上側支持金具２０を浴槽側防水パン１に向かって下降させることにより、図３、図９に示すように引掛部２１を浴槽側防水パン１の最外縁部１６に引っ掛けることにより、上側支持金具２０が浴槽側防水パン１に取り付けられる。上述したように、最外縁部１６は発泡体層１０ａに表皮層１０ｂを積層することにより高い剛性を有しており、引掛部２１を安定して保持することができる。
上側支持金具２０の取り付け状態において、第１連結板部２２が浴槽側防水パン１の発泡体層１０ａの外側面に沿い、第２連結板部２３が最外縁部１６から上方に垂直に延びている。
【００３２】
図４に示すように下側支持金具３０を浴槽側防水パン１に向かって上昇させることにより、図３に示すように、挿入片３３が支持溝１８に差し込まれ、基板部３１が浴槽側防水パン１の発泡体層１０ａの下面に当たり、連結板部３２が発泡体層１０ａの外側面に沿った状態で、下側支持金具３０が浴槽側防水パン１に取り付けられる。
【００３３】
支持溝１８の溝幅は挿入片３３の厚みより若干小さいため、挿入片３３は支持溝１８に圧入状態で差し込まれ、これにより下側支持金具３０は浴槽側防水パン１に仮保持されており、後述するように上側支持金具３０に連結される作業中または連結作業前に手を放しても、浴槽側防水パン１から脱落することはない。
【００３４】
上記支持金具２０，３０の浴槽側防水パン１への装着状態において、下側支持金具３０の連結板部３２が上側支持金具２０の第１連結板部２２の外側に重なる。この状態で、連結板部３２の挿通穴３２ａと第１連結板部２２のタッピング穴２２ａを位置合わせし、タッピングネジ２５（ネジ）を挿通穴３２ａに通しタッピング穴２２ａにねじ込むことにより、支持金具２０，３０が連結される。
上記連結状態において、上側支持金具２０の第２連結板部２３に支柱７０の下端部が連結される。この連結については後述する。
【００３５】
上側支持金具２０と下側支持金具３０は、浴槽側防水パン１の立ち上がり部１２ｂの周縁部を挟んだ状態で、浴槽側防水パン１に装着されている。そのため、支柱７０を直接支持する上側支持金具２０を、発泡体層１０ａに連結するために特殊な連結手段、例えば発泡体層１０ａにインサートされた部品を必要せず、製造コストを低く抑えることができる。
しかも、上側支持金具２０の引掛部２１が浴槽側防水パン１の最外縁部１６に引っ掛けられ、下側支持金具３０の挿入片３３が発泡体層１０ａの支持溝１８に挿入されているので、安定した装着状態が得られる。
【００３６】
次に、コーナー部Ｂの支持構造６について、図６〜図７を参照しながら説明する。支持構造６は、上下の支持金具４０，５０と支柱８０を有している。これら支持金具４０，５０は金属板を折り曲げることにより構成されている。
【００３７】
上側支持金具４０は、一対の連結片４０Ａ，４０Ｂを直角に連ねることにより構成されている。各連結片４０Ａ，４０Ｂは、上述した上側支持金具２０と同様の構成を有しており、引掛部４１と、タッピング穴４２ａを有する第１連結板部４２と、タッピング穴４３ａを有する第２連結板部４３とを有している。連結片４０Ａ，４０Ｂの第２連結板部４３同士が連なり、連結片４０Ａ，４０Ｂの第１連結板部４２は分離されている。
【００３８】
下側支持金具５０は、四角形状をなす水平の基板部５１と、基板部５１の直角に交わる２つの側縁から起立する２つの連結板部５２と、これら２つの側縁から離れるとともに４５°傾斜した側縁から起立する挿入片５３と、を有している。２つの連結板部５２には挿通穴５２ａがそれぞれ形成されている。
【００３９】
浴槽側防水パン１のコーナー部Ｂにおいて、発泡体層１０ｂの下面には挿入片５３に対応する形状を有する支持溝１９が形成されている。支持溝１９は上方から見たとき、浴槽側防水パン１の２辺の最外縁部１６に対して４５°傾斜し、垂直に延びている。支持溝１９の溝幅は挿入片５３の厚さより若干小さい。
【００４０】
図７に示すように上側支持金具４０を浴槽側防水パン１のコーナー部Ｂに向かって下降させることにより、図６、図９に示すように一対の連結片４０Ａ，４０Ｂの引掛部４１を浴槽側防水パン１の２つの辺の最外縁部１６にそれぞれ引っ掛けることにより、上側支持金具４０が浴槽側防水パン１に支持される。この状態で、一対の連結片４０Ａ，４０Ｂの第１連結板部４２が浴槽側防水パン１の発泡体層１０ａの外側面に沿い、第２連結板部４２が最外縁部１６から上方に垂直に延びている。
【００４１】
図７に示すように下側支持金具５０を浴槽側防水パン１のコーナー部Ｂに向かって上昇させることにより、図６に示すように下側支持金具５０が浴槽側防水パン１に取り付けられる。この取り付け状態で、挿入片５３が発泡体層１０ｂの支持溝１９に挿入され、基板部５１が発泡体層１０ｂの下面に当たり、２つの連結板部５２が浴槽側防水パン１の発泡体層１０ａの外側面にそれぞれ沿う。
【００４２】
上記支持金具４０，５０の浴槽側防水パン１への装着状態において、下側支持金具５０の２つの連結板部５２が上側支持金具４０の２つの第１連結板部４２の外側にそれぞれ重なる。この状態で、タッピングネジ（図示しない）を挿通穴５２ａに通しタッピング穴４２ａにねじ込むことにより、支持金具４０，５０が連結される。この連結状態において、上側支持金具４０の２つの第２連結板部４３に支柱８０の下端部が連結される。この連結については後述する。
【００４３】
次に支柱７０、８０について説明する。
図３、図９に示すように、長辺中央部Ａの支柱７０は中空をなし、外側の板部７１の下端部には挿通穴７１ａが形成されている。この支柱７０の板部７１の下端部を上側支持金具２０の第２連結板部２３に内側から当て、タッピングネジ２６（図３のみ示す）を、挿通穴７１ａに通し、第２連結板部２３のタッピング穴２３ａにねじ込むことにより、支柱７０の下端部が第２連結板部２３に連結される。
【００４４】
図６、図９に示すように、コーナー部Ｂの支柱８０は中空をなし、互いに直角をなす外側の２つの板部８１を有しており、これら板部８１の下端部にはそれぞれ挿通穴８１ａが形成されている。支柱８０の２つの板部８１を上側支持金具４０の２つの第２連結板部４３に内側から当て、タッピングネジ（図示しない）を、挿通穴８１ａに通し、第２連結板部４３のタッピング穴４３ａにねじ込むことにより、支柱８０の下端部が第２連結板部４３に連結される。
【００４５】
図９に示すように支柱７０，８０の内側には上下方向に延びる嵌合スリット７２，８２がそれぞれ形成されている。
壁パネル９０は、表側の面に表層材が積層された鋼板９１と、鋼板９１の裏側の面に設けられた石膏ボード等からなる基材９２と、を有している。鋼板９１の両側縁には裏側に折り曲げられた嵌合部９１ａ（図９に示す）が形成されており、下端縁には裏側に水平に折り曲げられたフランジ９１ｂ（図３、図６に示す）が形成されている。
【００４６】
浴槽側防水パン１の長辺に位置する２枚の壁パネル９０は、その両側縁の嵌合部９１ａを支柱７０、８０の嵌合スリット７２，８２に嵌め込むことにより、支柱７０，８０間で支持されている。短辺に位置する２枚の壁パネル９０は一側縁の嵌合部９１ａを支柱８０の嵌合スリット８２に嵌め込み、他側縁の嵌合部９１ａを洗場側防水パン２に支持された支柱（図示しない）の嵌合スリットに嵌め込むことにより支持されている。
洗い場側の壁パネルの支持については説明を省略する。
【００４７】
壁パネル９０の下端縁部は、受入溝１５に受け入れられており、そのフランジ９１ｂが受入溝１５の底面１５ａに載っている。フランジ９１ｂの先端縁が段差部１５ａに当たることで、壁パネル９０の確実な位置だしができ、かつシール材の切れ等を防止することができる。
【００４８】
支柱７０に支持されるとともに隣合う２枚の壁パネル９０間には、シール部材９５が嵌め込まれている。支柱８０に支持されるとともに隣合う２枚の壁パネル９０間には、シール部材９６が嵌め込まれている。また、壁パネル９０の鋼板９１の下端縁部と受入溝１５の内側の側面との間にはシール材（図示しない）が充填されている。
【００４９】
本発明は、上記実施形態に限定されるものではなく、種々の形態を採用することが可能である。
上側支持金具の第１連結板部と下側支持金具の連結板部は、タッピングネジの他に通常のネジ（ビス）を用いて連結してもよい。この場合、上側支持金具の第１連結板部と下側支持金具の連結板部のうち、内側に位置する板部にネジ穴が形成される。
連結手段は、発泡体層の内部にインサートされた部品であってもよい。この部品のネジ穴に上側支持金具の第１連結板部を貫通するビスがねじ込まれる。
上記実施形態では浴槽側の防水パンに本発明を適用したが、洗い場側の防水パンに適用してもよい。上側支持金具と下側支持金具とは一体であってもよい。
本願における浴室は、シャワーのみが可能な浴室（シャワー室）をも含む。
【産業上の利用可能性】
【００５０】
本発明は、浴室用防水パンおよび、浴室を画成する壁パネルの支持構造に適用可能である。
【符号の説明】
【００５１】
１  浴槽側防水パン（浴室用防水パン）
５，６  支持構造
１０ａ  発泡体層
１０ｂ  表皮層
１１  底部
１２ａ，１２ｂ  立ち上がり部
１５  受入溝
１５ａ  底面（載置部）
１６  最外縁部
１８，１９  支持溝
２０，４０  上側支持金具
４０Ａ，４０Ｂ  連結片
２１，４１  引掛部
２２，４２  第１連結板部
２３，４３  第２連結板部
３０，５０  下側支持金具（連結手段）
３１，５１  基板部
３２，５２  連結板部
３３，５３  挿入片
７０，８０  支柱
９０  壁パネル
【図１】
2019094767.tif 000003
【図２】
2019094767.tif 000004
【図３】
2019094767.tif 000005
【図４】
2019094767.tif 000006
【図５】
2019094767.tif 000007
【図６】
2019094767.tif 000008
【図７】
2019094767.tif 000009
【図８】
2019094767.tif 000010
【図９】
2019094767.tif 000011